【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
モニターされる被モニター装置とモニターするモニター装置との間の通信方法において，
機械的センサーと電気的センサーのいずれか一つを用いて前記被モニター装置のステータスを検知するステップと、
前記検知したステータスに基づいて、インターネット電子メールを生成するステップと、
前記生成したインターネット電子メールを、前記被モニター装置からインターネットを介して前記モニター装置に送信するステップを
備えることを特徴とする被モニター装置とモニター装置との間の通信方法。
【請求項２】
前記生成するステップは、暗号化したインターネット電子メールを生成することを特徴とする請求項１に記載の被モニター装置とモニター装置との間の通信方法。
【請求項３】
モニターされる被モニター装置とモニターするモニター装置との間の通信を行う通信システムにおける被モニター装置において、
前記被モニター装置内部のセンサーを用いて検出された前記被モニター装置のステータスに基づいて、インターネット電子メールを生成する生成手段と、
前記生成手段によって生成されたインターネット電子メールを、前記被モニター装置からインターネットを介して前記モニター装置に送信する送信手段と、
を備えることを特徴とする被モニター装置。
【請求項４】
前記生成手段は、暗号化したインターネット電子メールを生成することを特徴とする請求項３に記載の被モニター装置。
【請求項５】
ＬＡＮインターフェースを有するモニターされる被モニター装置と、モニターするモニター装置との間の通信方法において，
機械的センサーと電気的センサーのいずれか一つを用いて前記被モニター装置のステータスを検知するステップと、
前記検知したステータスに基づいて、インターネット電子メールを生成するステップと、
前記生成したインターネット電子メールを、前記被モニター装置のＬＡＮインターフェースによりインターネットを介して、前記モニター装置に送信するステップを
備えることを特徴とする被モニター装置とモニター装置との間の通信方法。
【請求項６】
ＬＡＮインターフェースを有するモニターされる被モニター装置と、モニターするモニター装置との間の通信を行う通信システムにおける被モニター装置において、
前記被モニター装置内部のセンサーを用いて検出された前記被モニター装置のステータスに基づいて、インターネット電子メールを生成する生成手段と、
前記生成手段によって生成されたインターネット電子メールを、前記被モニター装置のＬＡＮインターフェースによりインターネットを介して、前記モニター装置に送信する送信手段と、
を備えることを特徴とする被モニター装置。
【手続補正２】
【補正対象書類名】明細書
【補正対象項目名】発明の名称
【補正方法】変更
【補正の内容】
【発明の名称】被モニター装置とモニター装置との間の通信方法および被モニター装置
【手続補正３】
【補正対象書類名】明細書
【補正対象項目名】０００１
【補正方法】変更
【補正の内容】
【０００１】
本発明は，被モニター装置とモニター装置との間の通信方法および被モニター装置に関し，より詳細には，接続通信モードと無接続通信モードを用いた被モニター装置とモニター装置との間におけるリモート・モニタリング，診断，および制御に関し，さらに具体的には，複写機やプリンタ，そしてファクシミリ装置等のビジネスオフィス機器のモニタリング，制御，および診断に関するものである。また，本発明は被モニター装置の情報を含んでいるデータベースの使用および共用に関するものである。
【手続補正４】
【補正対象書類名】明細書
【補正対象項目名】００１１
【補正方法】変更
【補正の内容】
【００１１】
上記の目的を達成するために，請求項１に係る発明は、モニターされる被モニター装置とモニターするモニター装置との間の通信方法において，機械的センサーと電気的センサーのいずれか一つを用いて前記被モニター装置のステータスを検知するステップと、前記検知したステータスに基づいて、インターネット電子メールを生成するステップと、前記生成したインターネット電子メールを、前記被モニター装置からインターネットを介して前記モニター装置に送信するステップを備えることを特徴とする。
【手続補正５】
【補正対象書類名】明細書
【補正対象項目名】００１２
【補正方法】変更
【補正の内容】
【００１２】
また，請求項２に係る発明は、請求項１に記載の被モニター装置とモニター装置との間の通信方法において、前記生成するステップは、暗号化したインターネット電子メールを生成することを特徴とする。
【手続補正６】
【補正対象書類名】明細書
【補正対象項目名】００１３
【補正方法】変更
【補正の内容】
【００１３】
また，請求項３に係る発明は、モニターされる被モニター装置とモニターするモニター装置との間の通信を行う通信システムにおける被モニター装置において、前記被モニター装置内部のセンサーを用いて検出された前記被モニター装置のステータスに基づいて、インターネット電子メールを生成する生成手段と、前記生成手段によって生成されたインターネット電子メールを、前記被モニター装置からインターネットを介して前記モニター装置に送信する送信手段と、を備えることを特徴とする。
【手続補正７】
【補正対象書類名】明細書
【補正対象項目名】００１４
【補正方法】変更
【補正の内容】
【００１４】
また，請求項４に係る発明は、請求項３に記載の被モニター装置において、前記生成手段は、暗号化したインターネット電子メールを生成することを特徴とする。
【手続補正８】
【補正対象書類名】明細書
【補正対象項目名】００１５
【補正方法】変更
【補正の内容】
【００１５】
また，請求項５に係る発明は、ＬＡＮインターフェースを有するモニターされる被モニター装置と、モニターするモニター装置との間の通信方法において，機械的センサーと電気的センサーのいずれか一つを用いて前記被モニター装置のステータスを検知するステップと、前記検知したステータスに基づいて、インターネット電子メールを生成するステップと、前記生成したインターネット電子メールを、前記被モニター装置のＬＡＮインターフェースによりインターネットを介して、前記モニター装置に送信するステップを備えることを特徴とする。
【手続補正９】
【補正対象書類名】明細書
【補正対象項目名】００１６
【補正方法】変更
【補正の内容】
【００１６】
また，請求項６に係る発明は、ＬＡＮインターフェースを有するモニターされる被モニター装置と、モニターするモニター装置との間の通信を行う通信システムにおける被モニター装置において、前記被モニター装置内部のセンサーを用いて検出された前記被モニター装置のステータスに基づいて、インターネット電子メールを生成する生成手段と、前記生成手段によって生成されたインターネット電子メールを、前記被モニター装置のＬＡＮインターフェースによりインターネットを介して、前記モニター装置に送信する送信手段と、を備えることを特徴とする。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】変更
【補正の内容】
【００２３】
本発明によれば、検知したステータスに基づいて、安価なインターネットを用いて情報を送信できる。
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】